(57)【要約】【課題】部品の共通化を図りながら簡単な構造で交換することができる装飾体及びそれに用いられる取付具を提供する。【解決手段】装飾体本体１０が台座２０に取り付けられた装飾体において、装飾体本体の台座側に一又は複数のマグネット１３を固定し、台座の装飾体本体側に一又は複数のマグネット２３を固定し、装飾体本体のマグネットの固定位置が、台座のマグネットの固定位置に対応しており、台座に固定されたマグネットが、装飾体本体に固定されたマグネットを吸着し、装飾体本体が台座に取り外し可能に取り付けられる。【選択図】図４
2018010324.tif 000002
【特許請求の範囲】
【請求項１】
装飾体本体が台座に取り付けられて構成された装飾体において、
前記装飾体本体の前記台座側に一又は複数のマグネットが固定され、
前記台座の前記装飾体本体側に一又は複数のマグネットが固定され、
前記装飾体本体への前記マグネットの固定位置が、前記台座へのマグネットの固定位置に対応しており、
前記台座に固定されたマグネットが、前記装飾体本体に固定されたマグネットを吸着し、前記装飾体本体が前記台座に取り外し可能に取り付けられることを特徴とする装飾体。
【請求項２】
前記台座において前記マグネットが固定された任意の二つの位置に、給電コントローラからの配線の末端の一方の端子と他方の端子とが固定具により固定され、
前記装飾体本体において前記マグネットが固定された任意の二つの位置に、電子部品への配線の末端の一方の端子と他方の端子とが固定具により固定され、
前記装飾体本体への前記一方の端子の固定位置が、前記台座への前記一方の端子の固定位置に対応しており、
前記装飾体本体への前記他方の端子の固定位置が、前記台座への前記他方の端子の固定位置に対応しており、
前記台座に固定されたマグネットが、前記装飾体本体に固定されたマグネットを吸着する際、前記給電コントローラからの配線の末端の一方の端子と前記電子部品への配線の末端の一方の端子とが電気的に接続され、前記給電コントローラからの配線の末端の他方の端子と前記電子部品への配線の末端の他方の端子とが電気的に接続される、請求項１に記載の装飾体。
【請求項３】
前記装飾体本体において前記マグネットが固定された任意の一つの部位が、前記台座において前記マグネットが固定された任意の一つの部位と対応しており、
その対応した部位への前記マグネットの固定が取付具を用いてなされ、
前記取付具が、
貫通穴を有する前記マグネットと、
前記貫通穴の周面に設けられる絶縁部と、
前記貫通穴に前記絶縁部を介して装着され頭部及び軸部からなる通電性のボルトと、
前記装飾体本体、前記台座の何れか一方の物体と前記マグネットとの間に装着される第一の端子と、
前記一方の物体への前記第一の端子の装着側と逆側で、前記ボルトの軸部に装着される第二の端子と、
前記第二の端子を前記一方の物体に密着して固定するナットと、
を備える、請求項１に記載の装飾体。
【請求項４】
第一の物体を第二の物体に取り付ける際に使用され、
貫通穴を有するマグネットと、
前記貫通穴の側面に設けられる絶縁部と、
前記貫通穴に前記絶縁部を介して装着され頭部及び軸部からなる通電性のボルトと、
前記第一の物体、前記第二の物体の何れか一方の物体と前記マグネットとの間に装着される第一の端子と、
前記一方の物体への前記第一の端子の装着側と逆側で、前記ボルトの軸部に装着される第二の端子と、
前記第二の端子を前記一方の物体に密着して固定するナットと、
を備える、取付具。
【請求項５】
前記装飾体本体において前記マグネットが固定された任意の一つの部位が、前記台座において前記マグネットが固定された任意の一つの部位と対応しており、
その対応した部位への前記マグネットの固定が請求項４に記載の取付具を用いてなされている、請求項１に記載の装飾体。
【発明の詳細な説明】
【技術分野】
【０００１】
本発明は、広告や看板などの各種媒体を交換し易くするための装飾体とそれに用いられる取付具に関する。
【背景技術】
【０００２】
事業を営む企業では、広告や看板などの各種媒体を用いて人目を引くように工夫している。例えば、直方体の枠組みを構成したフレームに対して６枚のプレートを取り付け、その内部に発光部を収容し、内側から照明している。プレートは、透光性を有し、文字、図形、記号などにより情報を表している。また、各種媒体には後付けでフレームに沿ってＬＥＤ照明が取り付けられている。
【０００３】
本発明者は、文字、図形、記号などの少なくとも何れかが付されたプレートと、そのプレートの輪郭に沿った形状を有する発泡樹脂製のフレームと、を有し、そのフレームにプレートを取り付けて装飾体を構成する表示体又は装飾体を開発してきた。そのフレームの内周面にはＬＥＤモジュールを取り付け、装飾体内にトランス等の給電部品を内蔵して一体感を持たせていた（例えば特許文献１）。
【先行技術文献】
【特許文献】
【０００４】
【特許文献１】実用新案登録第３１９８７０７号公報
【発明の概要】
【発明が解決しようとする課題】
【０００５】
しかしながら、装飾体内に給電部品を内蔵しているため、装飾体の部品点数が多くなる。一方、装飾体のプレートには文字、図形、記号等の各種情報が付されるため、装飾体の交換頻度が高い。このような装飾体の交換の要請と安価な装飾体の低廉化とにはミスマッチが生じていた。
【０００６】
そこで、本発明は、部品の共通化を図りながら、簡単な構造で、容易に交換することができる装飾体を提供することを一つの目的とする。また、そのような装飾体に用いられる取付具を提供することを一つの目的とする。
【課題を解決するための手段】
【０００７】
本発明のコンセプトは次の通りである。
[１]  装飾体本体が台座に取り付けられて構成された装飾体において、
前記装飾体本体の前記台座側に一又は複数のマグネットが固定され、
前記台座の前記装飾体本体側に一又は複数のマグネットが固定され、
前記装飾体本体への前記マグネットの固定位置が、前記台座へのマグネットの固定位置に対応しており、
前記台座に固定されたマグネットが、前記装飾体本体に固定されたマグネットを吸着し、前記装飾体本体が前記台座に取り外し可能に取り付けられることを特徴とする装飾体。
[２]  前記台座において前記マグネットが固定された任意の二つの位置に、給電コントローラからの配線の末端の一方の端子と他方の端子とが固定具により固定され、
前記装飾体本体において前記マグネットが固定された任意の二つの位置に、電子部品への配線の末端の一方の端子と他方の端子とが固定具により固定され、
前記装飾体本体への前記一方の端子の固定位置が、前記台座への前記一方の端子の固定位置に対応しており、
前記装飾体本体への前記他方の端子の固定位置が、前記台座への前記他方の端子の固定位置に対応しており、
前記台座に固定されたマグネットが、前記装飾体本体に固定されたマグネットを吸着する際、前記給電コントローラからの配線の末端の一方の端子と前記電子部品への配線の末端の一方の端子とが電気的に接続され、前記給電コントローラからの配線の末端の他方の端子と前記電子部品への配線の末端の他方の端子とが電気的に接続される、前記[１]に記載の装飾体。
［３］  前記装飾体本体において前記マグネットが固定された任意の一つの部位が、前記台座において前記マグネットが固定された任意の一つの部位と対応しており、
その対応した部位への前記マグネットの固定が取付具を用いてなされ、
前記取付具が、
貫通穴を有する前記マグネットと、
前記貫通穴の周面に設けられる絶縁部と、
前記貫通穴に前記絶縁部を介して装着され頭部及び軸部からなる通電性のボルトと、
前記装飾体本体、前記台座の何れか一方の物体と前記マグネットとの間に装着される第一の端子と、
前記一方の物体への前記第一の端子の装着側と逆側で、前記ボルトの軸部に装着される第二の端子と、
前記第二の端子を前記一方の物体に密着して固定するナットと、
を備える、前記［１］に記載の装飾体。
[４]  第一の物体を第二の物体に取り付ける際に使用され、
貫通穴を有するマグネットと、
前記貫通穴の側面に設けられる絶縁部と、
前記貫通穴に前記絶縁部を介して装着され頭部及び軸部からなる通電性のボルトと、
前記第一の物体、前記第二の物体の何れか一方の物体と前記マグネットとの間に装着される第一の端子と、
前記一方の物体への前記第一の端子の装着側と逆側で、前記ボルトの軸部に装着される第二の端子と、
前記第二の端子を前記一方の物体に密着して固定するナットと、
を備える、取付具。
[５]  前記装飾体本体において前記マグネットが固定された任意の一つの部位が、前記台座において前記マグネットが固定された任意の一つの部位と対応しており、
その対応した部位への前記マグネットの固定が前記[４]に記載の取付具を用いてなされている、前記[１]に記載の装飾体。
【発明の効果】
【０００８】
本発明によれば、装飾体本体をニーズに応じて種々用意し、装飾体本体が取り付けられる台座を共通化することで部品の共通化を図り、かつ、装飾体本体及び台座にそれぞれ対応する部位にマグネットを取り付けることで、台座に装飾体本体を簡易に取り付けることができ、しかも容易に交換することができる。また、給電配線からの配線の末端の端子、電子部品への配線の末端の端子をマグネットの部位に取り付けておくことで電気的な接続も容易にすることができる。また、本発明によれば、マグネットと第一の端子とが接続され、ボルトと第二の端子とが接続されるので、一種類の取付具により電気的な接続と取付けとを同時に行うことができる。
【図面の簡単な説明】
【０００９】
【図１】本発明の実施形態に係る装飾体を模式的に示す図である。
【図２】図１に示す装飾体本体の底面側の斜視図である。
【図３】図１に示す台座の上面側の斜視図である。
【図４】図１に示す装飾体の部分断面図である。
【図５】図１に示す装飾体の断面図である。
【図６】図３とは異なる、図１に示す台座の上面側の斜視図である。
【図７】図６に示す台座とそれに取り付けられる装飾体本体とを示す斜視図である。
【図８】本発明の実施形態に係る装飾体に使用される取付具の断面図である。
【発明を実施するための形態】
【００１０】
以下、図面を参照しながら、本発明を好ましい実施形態について詳細に説明するが、本発明の範囲において適宜変更してもよい。
【００１１】
図１は本発明の実施形態に係る装飾体を模式的に示す図であり、図２は図１に示す装飾体本体の底面側の斜視図であり、図３は図１に示す台座の上面側の斜視図である。本発明の実施形態に係る装飾体１００は、例えば図１に示すように、装飾体本体１０が台座２０に取り付けられて構成される。
【００１２】
装飾体本体１０は、台座側、例えば装飾体本体１０の底面１１の外側にマグネット装着用の部位１２を一又は複数備え、各部位１２にマグネット１３が固定具１４により固定されている。マグネット１３は、Ｓ極とＮ極とが上下方向に向いて配置され、例えばネオジウム磁石が挙げられるが、その他の磁石でもよい。図示の形態においては、装飾体１０の底面１１において、左右上下の四か所に、マグネット装着用の部位１２を設け、各部位１２にマグネット１３を装着している。固定具１４は、例えばボルト及びナットで構成され、ワッシャーなどが追加されてもよい。固定具１４は、金属メッキ等により導電性を付与されてもよい。
【００１３】
台座２０は、装飾体本体側、例えば台座２０の上面２１の外側に、マグネット装着用の部位２２を一又は複数備え、各部位２２にマグネット２３が固定具２４で固定されている。マグネット２３は、Ｓ極とＮ極とが上下方向に向いて配置され、例えばネオジウム磁石が挙げられるが、その他の磁石でもよい。固定具２４は、例えばボルト及びナットから構成され、ワッシャーなどが追加されてもよい。固定具２４は、金属メッキ等により導電性を付与されてもよい。
【００１４】
装飾体本体１０へのマグネット１３の固定位置が、台座２０へのマグネット２３の固定位置に対応しており、装飾体本体１０のマグネット装着用の部位１２が、台座２０のマグネット２３の位置に対応する部位である。その対応するマグネット１３，２３は、向かい合う面が異極となるように配置される。よって、台座２０に装飾体本体１０を載せると、台座２０のマグネット２２が装飾体本体１０のマグネット１３を吸引し、装飾体本体１０が台座２０に容易に取り付けられる。逆に、マグネット１３とマグネット２３との吸引力に抗して装飾体本体１０を持ち上げたりすることにより、台座２０から装飾体本体１０を比較的簡易に取り外しすることができる。
【００１５】
さらに好ましい形態について詳細に説明する。図４は図１に示す装飾体の部分断面図である。
【００１６】
装飾体１０においてマグネット１３を固定する部位に貫通穴１５が設けられ、マグネット１３の貫通穴にボルト１６の軸部１６ａを挿入した上で、ボルト１６の軸部１６ａを貫通穴１５に通し、ボルト１６の軸部１６ａとナット１７とを締結する。その際、ボルト１６の軸部１６ａに、配線１８ａの末端に取り付けた圧着端子１８を装着することで、ナット１７と装飾体本体１０の底面１１とで圧着端子１８が固定される。圧着端子１７は、装飾体本体１０に取り付けた電子部品１９への配線１８ａの末端にジョイントされている。電子部品１９として、例えばＬＥＤモジュールや各種サウンドを出力するスピーカーなどが挙げられる。
【００１７】
台座２０においてマグネット２３を固定する部位に貫通穴２５が設けられ、マグネット２３の貫通穴にボルト２６の軸部２６ａを挿入した上で、ボルト２６の軸部２６ａを貫通穴２５に通し、ボルト２６の軸部２６ａとナット２７とを締結する。その際、ボルト２６の軸部２６ａに、配線２８ａの末端に取り付けた圧着端子２８を装着することで、ナット２７と台座２０とで圧着端子２８が固定される。圧着端子２８は、台座２０に内蔵した給電コントローラ２９からの配線２８ａの末端にジョイントされている。給電コントローラ２９として、トランスのほか、通電のスイッチなどが挙げられる。
【００１８】
このように、台座２０においてマグネット２３が固定された位置の任意の二つの位置に、給電コントローラ２９からの配線２８ａの末端の一方の端子２８と他方の端子２８とが固定具により固定される。ここでの固定具は、ボルト２６とナット２７から構成され、ワッシャーなどを追加してもよい。装飾体本体１０においてマグネット１３が固定された任意の二つの位置に、一又は複数の電子部品１９への配線１８ａへの末端の一方の端子１８と他方の端子１８とが固定具により固定されている。ここでの固定具は、ボルト１６とナット１７から構成され、ワッシャーなどを追加してもよい。そして、装飾体本体１０への端子１８の固定位置が、台座２０への端子２８の固定位置に対応するようにする。
【００１９】
この好ましい形態では、配線１８ａ，２８ａの末端に取り付けた圧着端子１８，２８をマグネット１３，２３の固定位置に固定具で取り付けておく。よって、台座２０に装飾体本体１０を載せようとすると、台座２０に固定されたマグネット２３がが、装飾体１０に固定されたマグネット１３を吸引する。そして、給電コントローラ２９からの配線２８ａの末端の一方の端子２８と電子部品１９への配線１８ａの末端の一方の端子１８とが電気的に接続され、給電コントローラ２９からの配線２８ａの末端の他方の端子２８と電子部品１９への配線１８ａの末端の他方の端子１８とが電気的に接続される。その結果、装飾体本体１０の台座２０への取り付けと、電気的な接続とを同時に達成することができる。
【００２０】
次に、この好ましい形態をより具体化した実施形態を説明する。図５は図１に示す装飾体の断面図である。装飾体２００は、装飾体本体３０が台座４０に取り付けられて構成される。
【００２１】
装飾体本体３０は、文字、図形、記号の少なくとも何れかが付された二枚のプレート３１と、プレート３１の輪郭に沿った形状を有する発泡樹脂製のフレーム３２と、を有し、プレート３１がフレーム３２に取り付けて構成されている。フレーム３２の内周面には電子部品３３としてＬＥＤモジュールが取り付けてある。ここで、「文字、図形、記号の少なくとも何れかが付された」とは、或る特定の形を有することを含む。
【００２２】
フレーム３２の底部３２ａには複数の貫通穴３４が設けられ、マグネット３５の貫通穴にボルト３６の軸部３６ａを挿入した上でボルト３６の軸部３６ａを貫通穴３４に通し、ボルト３６の軸部３６ａとナット３７とが締結されている。ボルト３６の軸部３６ａには圧着端子３８が装着され、ナット３７とフレーム３２の底部３２ａとで圧着端子３８が固定されている。圧着端子３８は、装飾体３０に取り付けた電子部品３３への配線３８ａの末端にジョイントされている。
【００２３】
台座４０は、前後二枚の縦板４１の間にその上下中間部位に横板４２を取り付けて構成されている。横板４２には貫通穴４３が設けられ、マグネット４４の貫通穴にボルト４５の軸部４５ａを挿入した上でボルト４５の軸部４５ａを貫通穴４３に通し、ボルト４５の軸部４５ａとナット４６とが締結されている。ボルト４５の軸部４５ａには圧着端子４７が装着され、ナット４６と横板４２とで圧着端子４７が固定されている。圧着端子４７は、給電コントローラ４８からの配線４７ａの末端にジョイントされている。給電コントローラ４８には、トランスのほか、通電切り換えのスイッチなどが挙げられる。給電コントローラ４８は、縦板４１を支持するベースプレート４９上に載置される。
【００２４】
よって、プレート３１の形状をニーズに応じて設定し、文字、図形、記号等のデザインを付した装飾体本体３０をその都度準備をし、台座４０は、装飾体本体３０の交換回数に依存しないで、使用し続けることができる。また、給電コントローラ４８などのような装飾体本体３０に依存しない部品は、装飾体本体３０に依存しないように共通化しておき、所望に応じて設定を変更可能な仕様のものを設置することで、設備投資を減らすことができ収益を挙げることができる。
【００２５】
台座２０，４０については、前述したものに限定されることなく次のようなものでもよい。図６は、図３とは異なる、図１に示す台座の上面側の斜視図である。台座５０は、略円筒形状を有しており、その上面側は、円環状の板５１と、円環状の板５１よりも低い円盤状の板５２とを備えている。板５１及び５２は上下の軸周りに回転することができるように構成されている。板５１と板５２との間の窪み５３はスイッチ５４を収容可能にし、スイッチ５４は台座５０内に収容した給電部品同士を配線接続し、通電のＯＮ／ＯＦＦをする。板５１上には複数のマグネット５５が固定具５６により固定されている。
【００２６】
前述したような装飾体本体を台座５０の上に載せて、装飾体本体のマグネットをマグネット５５に吸引し、装飾本体を台座５０に固定すると共に、電気的な接続をすることができる。台座５０に装飾体本体を載せる際に、スイッチ５４をＯＮすることで、装飾体本体に通電を開始する準備がなされる。
【００２７】
図７は、図６に示す台座５０に装飾体本体６０を取り付ける状態を示す図である。装飾体３００は、回転自在な台座５０に装飾体本体６０を取り付けて構成される。装飾体本体６０の基本的な構成は図５に示す構成と同様である。台座５０は、円環状の板５１が回転自在となるように構成されており、装飾体本体６０は図２と同様な底部６１を有する。装飾体本体６０側のマグネット取付位置は、台座５０側のマグネット固定位置に対応している。
【００２８】
台座５０のマグネット取付位置には、回転軸の方向すなわち上下方向に沿って磁界が向くようにマグネット５５ａ，５５ｂが設けられている。例えば、図７に示すように、上から見て上側がＳ極のマグネット５５ａ、Ｎ極のマグネット５５ｂ、Ｓ極のマグネット５５ａ、Ｎ極のマグネット５５ｂが順に配置されている。これに対し、装飾体本体６０のマグネット取付位置には、上下方向に沿って磁界が向くようにマグネット６５ａ，６５ｂが設けられている。例えば、図７に示すように、下から見て下側がＮ極となるマグネット６５ａ、Ｓ極となるマグネット６５ｂ、Ｎ極となるマグネット６５ａ、Ｓ極となるマグネット６５ｂが４つ配置されている。
【００２９】
図示したマグネットの極は例示であり、装飾体本体６０のマグネット６５ａ，６５ｂと台座５０のマグネット５５ａ，５５ｂとが対向しており、その対向面同士が異なる極であればよい。
【００３０】
前述したマグネットは、貫通穴を有するマグネットであって、貫通穴の方向に沿って一方がＳ極、他方がＮ極であればよい。しかし、図４及び図５で示すように配線の端子を固定したマグネットでは、装飾体本体、台座の何れもそれぞれマグネット取付位置の少なくとも任意の二つの位置に、配線の端子を固定する必要がある。
【００３１】
そこで、配線の端子を固定する位置を装飾体本体と台座のそれぞれに任意の一つの位置にマグネットと共に設けるようにすることが考えられる。
【００３２】
図８は、本発明の装飾体に使用される取付具の断面図である。本実施形態に係る取付具１は、第一の物体としての装飾体本体を第二の物体としての台座に取り付ける際に使用される。取付具１は、貫通穴２ａを有するマグネット２と、貫通穴２ａの側面に設けられる絶縁部３と、貫通穴２ａに絶縁部３を介して装着され、軸部４ａ及び頭部４ｂからなる通電性のボルト４と、第一の物体、第二の物体の何れか一方の物体７０とマグネット２との間に装着される第一の端子５と、一方の物体７０への第一の端子５の装着側と逆側で、ボルト４の軸部４ａに装着される第二の端子６と、第二の端子６を一方の物体７０に密着して固定するナット７と、を備える。
【００３３】
取付具１では、マグネット２の貫通穴２ａの周面に絶縁部３が設けられている。従って、マグネット２とボルト４とが電気的に絶縁されており、マグネット２に接する第一の端子５と、ボルト４の軸部４ａにナット７を経由して通電可能な第二の端子６とが、電気的に絶縁される。
【００３４】
よって、装飾体本体においてマグネットが固定された任意の一つの部位が、台座においてマグネットが固定された任意の一つの部位と、対応するようにしておき、その対応した部位にそれぞれ固定するマグネットを、図８に示すような構造のマグネット２とする。このような構造を有する取付具１を用いることで、電気的な接続箇所を一か所とすることができる。
【００３５】
一方の物体７０のマグネット２の取付位置近傍には、貫通穴７１が設けられ、第一の端子５の末端に付けた配線５ａをその貫通穴７１に通し、マグネット２と逆側にセットされる電子部品、給電コントローラの何れかに接続することができる。
【００３６】
ここで、図８に示すように、ボルト４の頭部４ａは皿ネジとし、マグネット２の貫通穴２ａは寸胴ではなく、頭部４ａが収容可能な形状とすることが好ましい。絶縁層３としては樹脂やセラミック等で形成してもよく、貫通穴２ａの周面にコーティングしても、また、マグネットと別体としてもよい。
【００３７】
本発明の実施形態に係る装飾体は、装飾体本体と台座とのそれぞれにマグネットを設けて、マグネット同士の吸引で装飾体本体が台座に取り付けられている。前述では、装飾体本体、台座の何れもマグネットを突出させているが、マグネットを装着するための貫通穴を段差上に設けて、マグネットの突出の度合いを調整するようにしてもよい。
【００３８】
以上説明したように、本発明の実施形態によれば、商品又はサービスの提供者や需要者のニーズに応じて多彩で魅力的な表示媒体を簡単に実現する装飾体が提供される。
【符号の説明】
【００３９】
１：取付具
２：マグネット
２ａ：マグネットの貫通穴
３：絶縁部
４：ボルト
４ａ：ボルトの軸部
４ｂ：ボルトの頭部
５：第一の端子
５ａ：配線
６：第二の端子
６ａ：配線
７：ナット
１０：装飾体本体
１１：底面
１２，２２：マグネット装着用の部位
１３，２３：マグネット
１４，２４：固定具
１５，２５：貫通穴
１６，２６：ボルト
１６ａ，２６ａ：ボルトの軸部
１７，２７：ナット
１８，２８：圧着端子（一方の端子、他方の端子）
１８ａ，２８ａ：配線
１９：電子部品
２０：台座
２１：上面
２９：給電コントローラ
３０：装飾体本体
３１：プレート
３２：フレーム
３２ａ：底部
３３：電子部品
３４：貫通穴
３５：マグネット
３６：ボルト
３６ａ：ボルトの軸部
３７：ナット
３８：圧着端子（一方の端子、他方の端子）
３８ａ：配線
４０：台座
４１：縦板
４２：横板
４３：貫通穴
４４：マグネット
４５：ボルト
４５ａ：ボルトの軸部
４６：ナット
４７：圧着端子（一方の端子、他方の端子）
４７ａ：配線
４８：給電コントローラ
４９：ベースプレート
５０：台座
５１：円環状の板
５２：円盤状の板
５３：窪み
５４：スイッチ
５５：マグネット
５６：固定具
６０：装飾体本体
６１：底部
５５，５５ａ，５５ｂ：マグネット
６５，６５ａ，６５ｂ：マグネット
７０：一方の物体（第一の物体、第二の物体の何れか）
７１：貫通穴
１００，２００，３００：装飾体
【図１】
2018010324.tif 000003
【図２】
2018010324.tif 000004
【図３】
2018010324.tif 000005
【図４】
2018010324.tif 000006
【図５】
2018010324.tif 000007
【図６】
2018010324.tif 000008
【図７】
2018010324.tif 000009
【図８】
2018010324.tif 000010